(57)【要約】【課題】  緊急報知メッセージ等の詳細な情報を放送映像が表示されている画面に同時に表示可能な情報表示システムを提供する。【解決手段】  放送配信センタ装置２は役所サーバ７、病院サーバ８、商店街サーバ９等から登録されたお知らせ通知を放送受信サーバ装置３に送出する。放送受信サーバ装置３はそのお知らせ通知を受取ると、現在、テレビ受像機に放送局１からの映像が表示されていれば、その映像にお知らせ通知があることを示しかつ文字や図形からなる表示図形を重畳して表示する。リモートコントローラから表示図形に対応する信号が入力された時に、放送受信サーバ装置３は放送配信センタ装置２から送られてきたメッセージや画像、あるいはインタネット網１００を介してコンテンツサーバ４から取得したＷＥＢ画像等を上記のテレビ受像機の同一画面上に表示する。【選択図】      図１
2006340019.tif 000002
【特許請求の範囲】
【請求項１】
少なくとも放送局からの放送映像を配信する放送配信センタ装置と、前記放送配信センタ装置から配信される前記放送映像をテレビ受像機に表示する放送受信サーバ装置とを含む情報表示システムであって、
前記放送配信センタ装置は、前記放送映像を配信する経路とは別の経路にて他装置から登録されたお知らせを前記放送受信サーバ装置に出力する手段を有し、
前記放送受信サーバ装置は、前記放送配信センタ装置から前記お知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する手段と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する手段とを有することを特徴とする情報表示システム。
【請求項２】
前記放送配信センタ装置は、前記他装置から登録されかつ前記テレビ受像機の画面の表示領域を指定する表示画面指示を前記お知らせに付加して前記放送受信サーバ装置に出力し、
前記放送受信サーバ装置は、前記表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行うことを特徴とする請求項１記載の情報表示システム。
【請求項３】
前記放送受信サーバ装置は、前記表示画面指示に基いて分割した前記テレビ受像機の表示領域のうちの一つの領域に前記メッセージ及び画像と前記ＷＥＢ画像とのいずれかを表示し、別の一つの領域に前記放送映像を表示することを特徴とする請求項２記載の情報表示システム。
【請求項４】
前記外部信号は、前記放送受信サーバ装置に少なくとも番組の切替えを指示する制御信号を送出するリモートコントローラの予め設定された特定キーの押下に対応する信号であることを特徴とする請求項１から請求項３のいずれか記載の情報表示システム。
【請求項５】
前記メッセージ及び画像と前記ＷＥＢ画像とに前記お知らせの通知の詳細情報を割り当てることを特徴とする請求項１から請求項４のいずれか記載の情報表示システム。
【請求項６】
少なくとも放送局からの放送映像をテレビ受像機に表示する放送受信サーバ装置に当該放送映像を配信する放送配信センタ装置であって、
前記放送受信サーバ装置に対して前記放送映像を配信する経路とは別の経路にて他装置から登録されたお知らせを前記放送受信サーバ装置に出力する手段を有し、
前記お知らせを示しかつ少なくとも文字及び図形のいずれかからなる表示図形を前記テレビ受像機に表示されている前記放送映像に重畳させて表示させることを特徴とする放送配信センタ装置。
【請求項７】
前記他装置から登録されかつ前記テレビ受像機の画面の表示領域を指定する表示画面指示を前記お知らせに付加して前記放送受信サーバ装置に出力することを特徴とする請求項６記載の放送配信センタ装置。
【請求項８】
少なくとも放送局からの放送映像が放送配信センタ装置から配信された時に当該放送映像をテレビ受像機に表示する放送受信サーバ装置であって、
前記放送配信センタ装置から前記放送映像を配信する経路とは別の経路にて他装置から登録されたお知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する手段と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する手段とを有することを特徴とする放送受信サーバ装置。
【請求項９】
前記お知らせに付加して送られかつ前記テレビ受像機の画面の表示領域を指定する表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行うことを特徴とする請求項８記載の放送受信サーバ装置。
【請求項１０】
前記表示画面指示に基いて分割した前記テレビ受像機の表示領域のうちの一つの領域に前記メッセージ及び画像と前記ＷＥＢ画像とのいずれかを表示し、別の一つの領域に前記放送映像を表示することを特徴とする請求項９記載の放送受信サーバ装置。
【請求項１１】
前記外部信号は、前記放送受信サーバ装置に少なくとも番組の切替えを指示する制御信号を送出するリモートコントローラの予め設定された特定キーの押下に対応する信号であることを特徴とする請求項８から請求項１０のいずれか記載の放送受信サーバ装置。
【請求項１２】
前記メッセージ及び画像と前記ＷＥＢ画像とに前記お知らせの通知の詳細情報を割り当てることを特徴とする請求項８から請求項１１のいずれか記載の放送受信サーバ装置。
【請求項１３】
少なくとも放送局からの放送映像を配信する放送配信センタ装置と、前記放送配信センタ装置から配信される前記放送映像をテレビ受像機に表示する放送受信サーバ装置とを含む情報表示システムに用いられる情報表示方法であって、
前記放送配信センタ装置が、前記放送映像を配信する経路とは別の経路にて他装置から登録されたお知らせを前記放送受信サーバ装置に出力する処理を実行し、
前記放送受信サーバ装置が、前記放送配信センタ装置から前記お知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する処理と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する処理とを実行することを特徴とする情報表示方法。
【請求項１４】
前記放送配信センタ装置が、前記他装置から登録されかつ前記テレビ受像機の画面の表示領域を指定する表示画面指示を前記お知らせに付加して前記放送受信サーバ装置に出力し、
前記放送受信サーバ装置が、前記表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行うことを特徴とする請求項１３記載の情報表示方法。
【請求項１５】
前記放送受信サーバ装置が、前記表示画面指示に基いて分割した前記テレビ受像機の表示領域のうちの一つの領域に前記メッセージ及び画像と前記ＷＥＢ画像とのいずれかを表示し、別の一つの領域に前記放送映像を表示することを特徴とする請求項１４記載の情報表示方法。
【請求項１６】
前記外部信号が、前記放送受信サーバ装置に少なくとも番組の切替えを指示する制御信号を送出するリモートコントローラの予め設定された特定キーの押下に対応する信号であることを特徴とする請求項１３から請求項１５のいずれか記載の情報表示方法。
【請求項１７】
前記メッセージ及び画像と前記ＷＥＢ画像とに前記お知らせの通知の詳細情報を割り当てることを特徴とする請求項１３から請求項１６のいずれか記載の情報表示方法。
【請求項１８】
少なくとも放送局からの放送映像を配信する放送配信センタ装置と、前記放送配信センタ装置から配信される前記放送映像をテレビ受像機に表示する放送受信サーバ装置とを含む情報表示システムに用いられる情報表示方法のプログラムであって、前記放送受信サーバ装置のコンピュータに、前記放送配信センタ装置から前記放送映像を配信する経路とは別の経路にて他装置から登録されたお知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する処理と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する処理とを実行させるためのプログラム。
【請求項１９】
前記放送受信サーバ装置のコンピュータに、前記お知らせに付加して送られかつ前記テレビ受像機の画面の表示領域を指定する表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行う処理を実行させるための請求項１８記載のプログラム。
【発明の詳細な説明】
【技術分野】
【０００１】
本発明は情報表示システム、放送配信センタ装置、放送受信サーバ装置及びそれらに用いる情報表示方法並びにそのプログラムに関し、特に放送局からの放送映像を放送配信センタ装置が放送受信サーバ装置に配信して前記放送受信サーバ装置からテレビ受像機に表示する情報表示方法に関する。
【背景技術】
【０００２】
従来、テレビジョン受信機においては、視聴可能な複数の映音像信号源によって提供される映音像信号から再生される映音像の提示方法に関して２種類に大別することができる。第１の種類は、映像表示器であるモニタの画面に１つの映音像信号源からの映像のみを表示し、音声表示器であるスピーカからは同映音像信号源からの音声を出力するものである（例えば、特許文献１参照）。
【０００３】
第２の種類は、モニタの画面を複数の子画面に分割して、それぞれに異なる映音像信号源からの映像を表示し、スピーカからは一つの映音像信号源からの音声を出力するものである。第１の種類のテレビジョン受信機は単画面表示テレビジョン受信機と呼ばれ、第２の種類のテレビジョン受信機は複数画面テレビジョン受信機と呼ばれている。
【０００４】
単画面表示テレビジョン受信機においては、複数の映音像信号源の内で選択されている１つの映音像信号源から提供される映音像のみが視聴者に表示される。一方、複数画面テレビジョン受信機においては、映像として複数の映音像信号源から提供される映像が１画面上で小画面の数だけが同時に表示されるが、音声は選択された特定の映音像信号源から提供されるもののみが出力される。
【０００５】
ここで、災害時や重大事件が発生した場合に周知ならしめるために放送される緊急テロップに代表される緊急報知メッセージは、通常、一般の放送局から送信される電波に重畳されて、あるいは同帯域の電波に乗せて放送される。
【０００６】
単画面表示テレビジョン受信機において、緊急報知メッセージが放送される放送局が映音像信号源として選択されている場合には、通常の放送内容が表示されている時に、緊急報知メッセージが開始されても、自動的に映像または音声で緊急報知が表示される。しかしながら、ビデオテープレコーダやテレビゲーム等の外部機器が映音像信号源として選択されている場合には、緊急報知メッセージを映像または音声で表示することはできない。仮に、単画面表示テレビジョン受信機が緊急報知メッセージ自体を受信できても、その緊急報知を映音像として表示することができないからである。
【０００７】
また、複数画面テレビジョン受信機においては、小画面の１つ以上で放送局から提供される映像が表示されている場合には、その小画面にて緊急報知メッセージの表示が可能である。しかしながら、緊急報知メッセージがテロップ等の文字や画像ではなく、音声で表示される場合には、その小画面が音声表示するように選択されていなければ、視聴者が緊急報知メッセージが受信されたことを知ることができない。
【０００８】
さらに、緊急報知メッセージが文字や画像で表示される場合には、複数ある小画面の１つで小さく表示される緊急報知が目立たないので、視聴者がその存在に気づくのは非常に困難である。このように、複数画面テレビジョン受信機においては、単画面表示テレビジョン受信機と異なり、技術的には緊急報知メッセージを表示することができるが、緊急時に即時に、視聴者に大事な情報を伝えるという緊急報知メッセージの本来の目的を果たすことが非常に難しいことは単画面表示テレビジョン受信機と大差はない。
【０００９】
そこで、ビデオテープレコーダやテレビゲーム器等の外部機器からの信号を受けて表示装置に映像を表示している時には、放送局から重大ニュース等の緊急報知メッセージが放送された場合に、外部機器からの映像に緊急報知メッセージを合成して表示させる方法が提案されている（例えば、特許文献２参照）。
【００１０】
【特許文献１】特開平８−２５６１２３号公報
【特許文献２】特開２００３−２０９７６１号公報
【発明の開示】
【発明が解決しようとする課題】
【００１１】
しかしながら、上述した従来のテレビ受信機では、特許文献２に記載の技術の場合、特許文献１と同様に、緊急報知メッセージを流すのみであり、その詳細な情報（例えば、現在、視聴者がいる場所から避難場所へのルート表示等）を同一画面上に表示することはできない。
【００１２】
また、従来のテレビ受信機では、テレビ局から放送される放送映像やビデオテープレコーダやテレビゲーム器等の外部機器からの映像、あるいはインタネット網を介して取得したＷＥＢ画面等を表示している時に、他の映像を小さい画面で表示させることはできるが、その画面の大きさはユーザが手動で調整しなければならず、映像や画像を送出している側からの要望に沿うことはできない。
【００１３】
そこで、本発明の目的は上記の問題点を解消し、緊急報知メッセージ等の詳細な情報を放送映像が表示されている画面に同時に表示させることができる情報表示システム、放送配信センタ装置、放送受信サーバ装置及びそれらに用いる情報表示方法を提供することにある。
【００１４】
また、本発明の他の目的は、映像や画像を送出している側からの要望に沿って複数の映像や画像を同一画面上に表示することができる情報表示システム、放送配信センタ装置、放送受信サーバ装置及びそれらに用いる情報表示方法を提供することにある。
【課題を解決するための手段】
【００１５】
本発明による情報表示システムは、少なくとも放送局からの放送映像を配信する放送配信センタ装置と、前記放送配信センタ装置から配信される前記放送映像をテレビ受像機に表示する放送受信サーバ装置とを含む情報表示システムであって、
前記放送配信センタ装置は、前記放送映像を配信する経路とは別の経路にて他装置から登録されたお知らせを前記放送受信サーバ装置に出力する手段を備え、
前記放送受信サーバ装置は、前記放送配信センタ装置から前記お知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する手段と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する手段とを備えている。
【００１６】
本発明による他の情報表示システムは、上記の動作において、
前記放送配信センタ装置が、前記他装置から登録されかつ前記テレビ受像機の画面の表示領域を指定する表示画面指示を前記お知らせに付加して前記放送受信サーバ装置に出力し、
前記放送受信サーバ装置が、前記表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行っている。
【００１７】
本発明による放送配信センタ装置は、少なくとも放送局からの放送映像をテレビ受像機に表示する放送受信サーバ装置に当該放送映像を配信する放送配信センタ装置であって、
前記放送受信サーバ装置に対して前記放送映像を配信する経路とは別の経路にて他装置から登録されたお知らせを前記放送受信サーバ装置に出力する手段を備え、
前記お知らせを示しかつ少なくとも文字及び図形のいずれかからなる表示図形を前記テレビ受像機に表示されている前記放送映像に重畳させて表示させている。
【００１８】
本発明による他の放送配信センタ装置は、上記の動作において、前記放送配信センタ装置は、前記他装置から登録されかつ前記テレビ受像機の画面の表示領域を指定する表示画面指示を前記お知らせに付加して前記放送受信サーバ装置に出力している。
【００１９】
本発明による放送受信サーバ装置は、少なくとも放送局からの放送映像が放送配信センタ装置から配信された時に当該放送映像をテレビ受像機に表示する放送受信サーバ装置であって、
前記放送配信センタ装置から前記放送映像を配信する経路とは別の経路にて他装置から登録されたお知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する手段と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する手段とを備えている。
【００２０】
本発明による他の放送受信サーバ装置は、上記の動作において、前記お知らせに付加して送られかつ前記テレビ受像機の画面の表示領域を指定する表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行っている。
【００２１】
本発明による情報表示方法は、少なくとも放送局からの放送映像を配信する放送配信センタ装置と、前記放送配信センタ装置から配信される前記放送映像をテレビ受像機に表示する放送受信サーバ装置とを含む情報表示システムに用いられる情報表示方法であって、
前記放送配信センタ装置が、前記放送映像を配信する経路とは別の経路にて他装置から登録されたお知らせを前記放送受信サーバ装置に出力する処理を実行し、
前記放送受信サーバ装置が、前記放送配信センタ装置から前記お知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する処理と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する処理とを実行している。
【００２２】
本発明による他の情報表示方法は、前記放送配信センタ装置が、前記他装置から登録されかつ前記テレビ受像機の画面の表示領域を指定する表示画面指示を前記お知らせに付加して前記放送受信サーバ装置に出力し、
前記放送受信サーバ装置が、前記表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行っている。
【００２３】
本発明による情報表示方法のプログラムは、少なくとも放送局からの放送映像を配信する放送配信センタ装置と、前記放送配信センタ装置から配信される前記放送映像をテレビ受像機に表示する放送受信サーバ装置とを含む情報表示システムに用いられる情報表示方法のプログラムであって、前記放送受信サーバ装置のコンピュータに、前記放送配信センタ装置から前記放送映像を配信する経路とは別の経路にて他装置から登録されたお知らせが通知されかつ前記テレビ受像機に前記放送映像が表示されている時に前記放送配信センタ装置からのお知らせ通知があることを示しかつ少なくとも文字及び図形のいずれかからなる表示図形を前記放送映像に重畳して表示する処理と、その表示図形に対応する外部信号が入力された時に少なくとも前記放送配信センタ装置から送られてきたメッセージ及び画像とインタネット網を介して取得したＷＥＢ画像とのいずれかを前記テレビ受像機の同一画面上に表示する処理とを実行させている。
【００２４】
本発明による他の情報表示方法のプログラムは、上記の動作において、前記放送受信サーバ装置のコンピュータに、前記お知らせに付加して送られかつ前記テレビ受像機の画面の表示領域を指定する表示画面指示に基いて分割した前記テレビ受像機の表示領域への前記メッセージ及び画像と前記ＷＥＢ画像とのいずれかの表示と、前記表示画面指示に基いて前記放送映像に重畳して前記テレビ受像機の表示領域への前記メッセージ及び画像と前記ＷＥＢ画像とのいずれかの表示とのいずれかを行う処理を実行させている。
【００２５】
すなわち、本発明の情報表示システムは、放送局からの映像が表示されているテレビ受像機に、放送配信センタ装置からのお知らせ通知があることを示しかつ文字や図形からなる表示図形を放送局からの映像に重畳して表示し、その表示図形に気付いた視聴者がリモートコントローラ（以下、リモコンとする）から表示図形に対応する信号（例えば、予め設定された特定キーの押下等によって発生する信号）が入力された時に、放送受信サーバ装置が放送配信センタ装置から送られてきたメッセージや画像、あるいはインタネット網を介して取得したＷＥＢ画像等を上記のテレビ受像機の同一画面上に表示している。
【００２６】
これによって、本発明の情報表示システムでは、上述した表示図形に対応する信号に応答して表示するメッセージや画像、ＷＥＢ画像等にお知らせ通知の詳細情報を割り当てておけば、緊急報知メッセージ等の詳細な情報を放送映像が表示されている画面に同時に表示させることが可能となる。
【００２７】
また、本発明の情報表示システムでは、放送局からの映像が表示されているテレビ受像機に、放送配信センタ装置からのお知らせ通知があることを、文字や図形からなる表示図形を放送局からの映像に重畳して表示し、その表示図形に気付いた視聴者がリモコンから表示図形に対応する信号が入力された時に、放送受信サーバ装置がお知らせ通知に付加された表示画面指示に応じてテレビ受像機の画面の表示領域を分割し、その一つの領域に放送配信センタ装置から送られてきたメッセージや画像、あるいはインタネット網を介して取得したＷＥＢ画像等を表示、別の一つの領域に放送局からの映像を表示している。
【００２８】
これによって、本発明の情報表示システムでは、映像や画像を送出している側からの要望に沿って表示画面指示を出すことで、テレビ受像機に、映像や画像を送出している側からの要望に沿って複数の映像や画像を同一画面上に表示することが可能となる。
【発明の効果】
【００２９】
本発明の情報表示システムは、以下に述べるように構成及び動作とすることで、緊急報知メッセージ等の詳細な情報を放送映像が表示されている画面に同時に表示させることができるという効果が得られる。
【００３０】
本発明の他の情報表示システムは、以下に述べるように構成及び動作とすることで、映像や画像を送出している側からの要望に沿って複数の映像や画像を同一画面上に表示することができるという効果が得られる。
【発明を実施するための最良の形態】
【００３１】
次に、本発明の実施の形態について図面を参照して説明する。図１は本発明の実施の形態による情報表示システムの構成を示すブロック図である。図１において、本発明の実施の形態による情報表示システムは、テレビ映像（特に、ディジタル放送のテレビ映像）を送信する放送局１と、放送局１からの映像をＣＡＴＶ（ＣＡｂｌｅ  ＴｅｌｅＶｉｓｉｏｎ）のケーブルやＦＴＴＨ（Ｆｉｂｅｒ  Ｔｏ  Ｔｈｅ  Ｈｏｍｅ）のファイバケーブルを介して配信する放送配信センタ装置２と、放送配信センタ装置２から配信される映像を図示せぬテレビ受像機に表示する放送受信サーバ装置（ＳＴＳ：Ｓｅｔ  Ｔｏｐ  Ｓｅｒｖｅｒ）３とから構成されている。
【００３２】
また、放送配信センタ装置２は放送受信サーバ装置３に、ＣＡＴＶのケーブルやＦＴＴＨのファイバケーブルにてインタネットの閲覧サービスや電子メールサーバを提供するために、インタネット網１００に接続されており、インタネット網１００にはコンテンツを提供するコンテンツサーバ４と、メール配信を行うメールサーバ５と、ＩＰ（Ｉｎｔｅｒｎｅｔ  Ｐｒｏｔｏｃｏｌ）電話と一般電話公衆網（図示せず）とを接続するための電話交換局６と、放送配信センタ装置２を介して放送受信サーバ装置３にお知らせ通知を行う県庁や都庁、及び市役所、区役所等の役所サーバ７、公立等の病院に設置された病院サーバ８、商店街等に設置された商店街サーバ９等とが接続されている。
【００３３】
例えば、役所サーバ７は地震や火事、あるいは台風等の災害時に緊急に避難場所への誘導を行いたい場合、インタネット網１００を通して放送配信センタ装置２にお知らせ通知の登録を行う。また、病院サーバ８は地震や火事、あるいは台風等の災害時に収容可能な人員や輸血用の血液の提供を求める際に、インタネット網１００を通して放送配信センタ装置２にお知らせ通知の登録を行う。さらに、商店街サーバ９は商店街の催しや特売の情報等を報知したい場合、インタネット網１００を通して放送配信センタ装置２にお知らせ通知の登録を行う。
【００３４】
その場合、役所サーバ７、病院サーバ８、商店街サーバ９等はテレビ受像機に、お知らせ通知の詳細な情報をどのような画面構成で表示させたいかも、放送配信センタ装置２へのお知らせ通知の登録とともに登録する。また、お知らせ通知の詳細な情報は役所サーバ７、病院サーバ８、商店街サーバ９等からインタネット網１００を通してコンテンツサーバ４に予め登録されているものとする。尚、役所サーバ７、病院サーバ８、商店街サーバ９等がコンテンツサーバ４を兼ねても問題ない。
【００３５】
放送配信センタ装置２は役所サーバ７、病院サーバ８、商店街サーバ９等から登録されたお知らせ通知を、ＣＡＴＶのケーブルやＦＴＴＨのファイバケーブルにて放送受信サーバ装置３に送出する。放送受信サーバ装置３では放送配信センタ装置２からお知らせ通知を受取ると、現在、テレビ受像機に放送局１からの映像が表示されていれば、その映像にお知らせ通知があることを示しかつ文字や図形からなる表示図形（例えば、マークやアイコン等）を重畳して表示する。
【００３６】
テレビ受像機の画面を見ている視聴者が、重畳された表示図形に気付き、リモートコントローラ（以下、リモコンとする）（図示せず）から表示図形に対応する信号（例えば、予め設定された赤や青等の特定キーの押下等によって発生する信号）が入力された時に、放送受信サーバ装置３が放送配信センタ装置２から送られてきたメッセージや画像、あるいはインタネット網１００を介してコンテンツサーバ４から取得したＷＥＢ画像等を上記のテレビ受像機の同一画面上に表示する。
【００３７】
これによって、本発明の実施の形態では、上述した表示図形に対応する信号に応答して表示するメッセージや画像、ＷＥＢ画像等にお知らせ通知の詳細情報を割り当てておけば、緊急報知メッセージ等の詳細な情報を放送映像が表示されている画面に同時に表示させることができる。
【００３８】
また、本発明の実施の形態では、放送局１からの映像が表示されているテレビ受像機に、放送配信センタ装置２からのお知らせ通知があることを、文字や図形からなる表示図形を放送局１からの映像に重畳して表示し、その表示図形に気付いた視聴者がリモコンから表示図形に対応する信号が入力された時に、放送受信サーバ装置３がお知らせ通知に付加された表示画面指示に応じてテレビ受像機の画面の表示領域を分割し、その一つの領域に放送配信センタ装置２から送られてきたメッセージや画像、あるいはインタネット網を介して取得したＷＥＢ画像等を表示、別の一つの領域に放送局１からの映像を表示する。
【００３９】
これによって、本発明の実施の形態では、映像や画像を送出している側からの要望に沿って表示画面指示を出すことで、テレビ受像機に、映像や画像を送出している側からの要望に沿って複数の映像や画像を同一画面上に表示することができる。
【実施例１】
【００４０】
図２は本発明の一実施例による放送配信センタ装置の構成を示すブロック図である。ここで、本発明の一実施例による情報表示システムは、上記の本発明の実施の形態による情報表示システムと同様の構成となっており、図２に示す放送配信センタ装置２は図１に示す放送配信センタ装置２と同一である。
【００４１】
図２において、放送配信センタ装置２は放送局１からのＴＶ（テレビ）放送を送出するＴＶ放送送出機２１と、インタネット網１００に接続される通信制御部２２と、上述した役所サーバ７、病院サーバ８、商店街サーバ９等からのお知らせ通知を登録するお知らせ登録装置２３と、そのお知らせ通知を放送受信サーバ装置３に出力するお知らせ出力装置２４とから構成されている。
【００４２】
図３は本発明の一実施例による放送受信サーバ装置の構成を示すブロック図である。図３に示す放送受信サーバ装置は図１に示す放送受信サーバ装置３と同一である。
【００４３】
図３において、放送受信サーバ装置３はＴＶチューナ３１と、デコーダ３２と、画像合成器３３と、お知らせ受信機３４と、お知らせ処理部３５と、ＷＥＢ機能３６と、通信制御部３７と、送信処理部３８と、受信処理部３９と、外部信号入出力部４０とから構成されている。
【００４４】
ＴＶチューナ３１は放送配信センタ装置２から配信される複数の放送映像のうち、リモートコントローラ（以下、リモコンとする）４２からのリモコン信号で指定される放送映像に対応する周波数の放送映像を選別してデコーダ３２に出力する。デコーダ３２はＴＶチューナ３１で選別された放送映像をデコードして画像合成器３３に出力するとともに、そのデコードした放送映像に付加された放送番号をお知らせ処理部３５に通知する。
【００４５】
画像合成器３３はデコーダ３２でデコードされた放送映像と、ＷＥＢ機能３６が取得したコンテンツ画像・テキストを合成してテレビ受像機４１に送出する。その際、画像合成器３３はお知らせ処理部３５からお知らせ通知があれば、予め設定された表示図形（例えば、文字や数字、記号、図形等の単体や組合せで表示する図形）を現在、テレビ受像機４１に送出している映像やコンテンツ画像・テキストに重畳してテレビ受像機４１に送出する。
【００４６】
また、画像合成器３３はお知らせ処理部３５からの画面切替え指示に応じてテレビ受像機４１の表示領域を分割してその分割領域に映像や画像を割り当ててテレビ受像機４１に送出したり、あるいは上記の放送映像やコンテンツ画像・テキストにそれぞれ指示された放送映像やコンテンツ画像・テキストを重畳してテレビ受像機４１に送出する。
【００４７】
お知らせ受信機３４は放送配信センタ装置２からのお知らせ通知を受信すると、その通知とそれに付加された表示画面指示の情報及びコンテンツ画像・テキスト［または、取得すべきコンテンツ画像・テキストのＵＲＬ（Ｕｎｉｆｏｒｍ  Ｒｅｓｏｕｒｃｅ  Ｌｏｃａｔｏｒ）］とをお知らせ処理部３５に渡す。
【００４８】
お知らせ処理部３５はデコーダ３２からの放送番号とお知らせ受信機３４からのお知らせ通知及び表示画面指示の情報とに基いて、お知らせ通知と画面切替え指示とを画像合成器３３に渡す。その際、お知らせ処理部３５はお知らせ受信機３４が放送配信センタ装置２からコンテンツ画像・テキストを受取っていれば、そのコンテンツ画像・テキストを画像合成器３３に渡す。また、お知らせ処理部３５はお知らせ受信機３４が放送配信センタ装置２からコンテンツ画像・テキストの代わりにＵＲＬを受取っていれば、そのＵＲＬをＷＥＢ機能３６に渡す。
【００４９】
ＷＥＢ機能３６はお知らせ処理部３５からＵＲＬを受取ると、送信処理部３８と通信制御部３７とインタネット網１００とを介してそのＵＲＬに対応するコンテンツサーバ４からコンテンツ画像・テキストを取得し、そのコンテンツ画像・テキストを画像合成器３３に送る。
【００５０】
通信制御部３７は放送配信センタ装置２とインタネット網１００とを介してコンテンツサーバ４、メールサーバ５、役所サーバ７、病院サーバ８、商店街サーバ９等との間とデータ通信を行うとともに、インタネット網１００及び電話交換局６を介してＩＰ電話と一般電話公衆網との接続を制御する。
【００５１】
送信処理部３８は放送配信センタ装置２やインタネット網１００への信号の送信処理を行い、受信処理部３９は放送配信センタ装置２やインタネット網１００からの信号の受信処理を行う。但し、コンテンツ画像・テキストは受信処理部３９を通ることなく、通信制御部３７からＷＥＢ機能３６に直接渡されるものとする。
【００５２】
外部信号入出力部４０はリモコン４２、ＵＳＢ（Ｕｎｉｖｅｒｓａｌ  Ｓｅｒｉａｌ  Ｂｕｓ）機器（例えば、ＵＳＢ接続のハードディスク装置やキーボード等）（図示せず）、ハンドセット（例えば、ＩＰ電話や一般電話等の送受話器）（図示せず）、ＴＶ（テレビ）電話用のＷＥＢカメラ等との間のインタフェースである。
【００５３】
図４（ａ）〜（ｇ）は図３のテレビ受像機４１の表示領域への表示例を示す図である。図４（ａ）はテレビ受像機４１の表示領域の全領域に放送局１からの放送映像が表示されている時にお知らせ通知（「ｉ」の表示図形）４１ａを重畳して表示する例を示している。尚、お知らせ通知の表示図形４１ａとしては、「ｉ」の表示図形だけでなく、「？」や「！」の表示図形、「緊急」を示す表示図形、「特売」を示す表示図形等を用いてもよい。
【００５４】
図４（ｂ）はテレビ受像機４１の表示領域の全領域に放送局１からの放送映像を表示する例を示し、図４（ｃ）はテレビ受像機４１の表示領域を左右に２分割してそれぞれ放送局１からの放送映像とコンテンツサーバ４からのコンテンツ画像とを表示する例を示し、図４（ｄ）はテレビ受像機４１の表示領域を上下左右に３分割してそれぞれ放送局１からの放送映像とコンテンツサーバ４からのコンテンツ画像と広告とを表示する例を示している。
【００５５】
図４（ｅ）はテレビ受像機４１の表示領域の全領域に放送局１からの放送映像に放送配信センタ装置２からのテキストを重畳して表示する例を示し、図４（ｆ）はテレビ受像機４１の表示領域を左右に２分割してそれぞれ放送局１からの放送映像とコンテンツサーバ４からのコンテンツ画像とを表示するとともに、放送局１からの放送映像に放送配信センタ装置２からのテキストを重畳して表示する例を示し、図４（ｇ）はテレビ受像機４１の表示領域を上下に２分割してそれぞれ放送局１からの放送映像と放送配信センタ装置２からのテキストとを表示する例を示している。
【００５６】
図５及び図６は図３のお知らせ処理部３５によるお知らせ処理の動作を示すフローチャートである。これら図１〜図６を参照してお知らせ処理部３５によるお知らせ処理の動作について説明する。尚、このお知らせ処理部３５によるお知らせ処理はコンピュータが実行するプログラムでも実現可能である。
【００５７】
お知らせ処理部３５はお知らせ受信機３４からお知らせ通知が送られてくると（図５ステップＳ１）、テレビ受像機４１に放送映像が表示されていれば（図５ステップＳ２）、お知らせ受信機３４からお知らせ通知とともにテキスト情報が送られてきているかを判別する（図５ステップＳ３）。
【００５８】
お知らせ処理部３５はお知らせ受信機３４からお知らせ通知とともにテキスト情報が送られてきていれば、お知らせ通知の表示図形とテキスト情報とをテレビ受像機４１に表示中の放送映像に重畳して表示するように画像合成器３３に指示する（図５ステップＳ４）。この場合、お知らせ処理部３５は上記の指示とともに、お知らせ通知の表示図形とテキスト情報とを画像合成器３３に送る。
【００５９】
また、お知らせ処理部３５はお知らせ受信機３４からお知らせ通知とともにテキスト情報が送られてきていなければ、お知らせ通知の表示図形をテレビ受像機４１に表示中の放送映像に重畳して表示するように画像合成器３３に指示する（図５ステップＳ５）。
【００６０】
次に、お知らせ処理部３５はテレビ受像機４１に表示中の放送映像に重畳して表示されたお知らせ通知の表示図形（または、お知らせ通知の表示図形とテキスト情報と）を視聴者が見て、リモコン４２の対応する特定キー（例えば、お知らせ通知の表示図形と同じ色のボタンや同じ図形のボタン、あるいは表示等の特定ボタン）を押下すると（図５ステップＳ６）、表示すべきコンテンツが受信済みかどうかを判別する（図５ステップＳ７）。
【００６１】
お知らせ処理部３５は表示すべきコンテンツが受信済みでなければ、お知らせ通知に対応するＵＲＬをＷＥＢ機能３６に通知してコンテンツの取得を指示する（図５ステップＳ８）。この後に、お知らせ処理部３５は放送配信センタ装置２からの放送映像と放送配信センタ装置２またはコンテンツサーバ４から取得したコンテンツ画像・テキストとを重畳または個別に表示するように画像合成器３３に指示する（図５ステップＳ９）。
【００６２】
一方、お知らせ処理部３５はテレビ受像機４１に放送映像が表示されていなければ（図５ステップＳ２）、表示すべきコンテンツが受信済みかどうかを判別する（図６ステップＳ１１）。お知らせ処理部３５は表示すべきコンテンツが受信済みでなければ、お知らせ通知に対応するＵＲＬをＷＥＢ機能３６に通知してコンテンツの取得を指示する（図６ステップＳ１２）。この後に、お知らせ処理部３５は放送配信センタ装置２からの放送映像と放送配信センタ装置２またはコンテンツサーバ４から取得したコンテンツ画像・テキストとを重畳または個別に表示するように画像合成器３３に指示する（図６ステップＳ１３）。
【００６３】
これらの場合、お知らせ処理部３５はお知らせ受信機３４からお知らせ通知とともに送られてきた表示画面指示が重畳［例えば、図４（ｅ）の表示例］を指示していれば、放送映像にコンテンツ画像・テキストを重畳して表示するように画像合成器３３に指示する。また、お知らせ処理部３５はお知らせ受信機３４からお知らせ通知とともに送られてきた表示画面指示が表示領域の分割［例えば、図４（ｃ），（ｄ），（ｆ），（ｇ）の表示例］を指示していれば、テレビ受像機４１の表示領域を分割して放送映像とコンテンツ画像・テキストとを個別に表示するように画像合成器３３に指示する。
【００６４】
お知らせ処理部３５は上記の処理を、お知らせ処理が終了となるまで（図５ステップＳ１０）、繰り返し行う（図５ステップＳ１〜Ｓ１０，図６ステップＳ１１〜Ｓ１３）。
【００６５】
図７〜図１０は本発明一実施例による情報表示システムの動作を示すシーケンスチャートである。これら図１〜図４及び図７〜図１０を参照して本発明一実施例による情報表示システムの動作について説明する。
【００６６】
図７は役所サーバ７から放送配信センタ装置２のお知らせ登録装置２３に災害（例えば、地震、台風、大規模な火災等）の発生が登録された時に、役所サーバ７がコンテンツサーバ４に登録した避難場所等への避難勧告の情報等の災害コンテンツを放送配信センタ装置２が取得する場合の動作を示している。
【００６７】
放送配信センタ装置２は放送局１からの放送映像を放送受信サーバ装置３に配信し（図７のａ１，ａ２参照）、放送受信サーバ装置３が放送映像をテレビ受像機４１に表示している時（図７のａ３参照）、役所サーバ７から災害通知が登録されると（図７のａ５参照）、役所サーバ７がコンテンツサーバ４に登録した災害コンテンツを取得する（図７のａ４，ａ６参照）。
【００６８】
放送配信センタ装置２は上記の災害コンテンツとそのコンテンツの表示領域を示す表示画面指示とをお知らせ通知とともに放送受信サーバ装置３に送る（図７のａ７参照）。放送受信サーバ装置３は放送配信センタ装置２からのお知らせ通知を示す表示図形をテレビ受像機４１に表示している放送映像に重畳して表示する（図７のａ８参照）。
【００６９】
視聴者がテレビ受像機４１の放送映像に重畳された表示図形を見てリモコン４２を操作すると（図７のａ９参照）、放送受信サーバ装置３はそのリモコン４２の操作に応答して、放送配信センタ装置２からの表示画面指示に基いてテレビ受像機４１の表示領域を分割し、テレビ受像機４１の表示領域に放送映像と災害コンテンツとを表示する（図７のａ１０参照）。
【００７０】
図８は役所サーバ７から放送配信センタ装置２のお知らせ登録装置２３に災害の発生が登録された時に、役所サーバ７がコンテンツサーバ４に登録した避難場所等への避難勧告の情報等の災害コンテンツを放送受信サーバ装置３が取得する場合の動作を示している。
【００７１】
放送配信センタ装置２は放送局１からの放送映像を放送受信サーバ装置３に配信し（図８のｂ１，ｂ２参照）、放送受信サーバ装置３が放送映像をテレビ受像機４１に表示している時（図８のｂ３参照）、役所サーバ７から災害通知が登録されると（図８のｂ５参照）、上記の災害コンテンツが登録されたＵＲＬとそのコンテンツの表示領域を示す表示画面指示とをお知らせ通知とともに放送受信サーバ装置３に送る（図８のｂ６参照）。
【００７２】
放送受信サーバ装置３は放送配信センタ装置２からのお知らせ通知を示す表示図形をテレビ受像機４１に表示している放送映像に重畳して表示する（図８のｂ７参照）。視聴者がテレビ受像機４１の放送映像に重畳された表示図形を見てリモコン４２を操作すると（図８のｂ８参照）、放送受信サーバ装置３はそのリモコン４２の操作に応答して、役所サーバ７がコンテンツサーバ４に登録した災害コンテンツを取得する（図８のｂ４，ｂ９参照）。
【００７３】
放送受信サーバ装置３は放送配信センタ装置２からの表示画面指示に基いてテレビ受像機４１の表示領域を分割し、テレビ受像機４１の表示領域に放送映像とコンテンツサーバ４から取得した災害コンテンツとを表示する（図８のｂ１０参照）。
【００７４】
図９は商店街サーバ９から放送配信センタ装置２のお知らせ登録装置２３に特売のお知らせが登録された時に、商店街サーバ９がコンテンツサーバ４に登録した特売の内容等の特売コンテンツを放送受信サーバ装置３が取得する場合の動作を示している。
【００７５】
放送配信センタ装置２は放送局１からの放送映像を放送受信サーバ装置３に配信し（図９のｃ１，ｃ２参照）、放送受信サーバ装置３が放送映像をテレビ受像機４１に表示している時（図９のｃ３参照）、商店街サーバ９から特売のお知らせが登録されると（図９のｃ５参照）、上記の特売コンテンツが登録されたＵＲＬとそのコンテンツの表示領域を示す表示画面指示とをお知らせ通知とともに放送受信サーバ装置３に送る（図９のｃ６参照）。
【００７６】
放送受信サーバ装置３は放送配信センタ装置２からのお知らせ通知を示す表示図形をテレビ受像機４１に表示している放送映像に重畳して表示する（図９のｃ７参照）。視聴者がテレビ受像機４１の放送映像に重畳された表示図形を見てリモコン４２を操作すると（図９のｃ８参照）、放送受信サーバ装置３はそのリモコン４２の操作に応答して、商店街サーバ９がコンテンツサーバ４に登録した特売コンテンツを取得する（図９のｃ４，ｃ９参照）。
【００７７】
放送受信サーバ装置３は放送配信センタ装置２からの表示画面指示に基いてテレビ受像機４１の表示領域を分割し、テレビ受像機４１の表示領域に放送映像とコンテンツサーバ４から取得した特売コンテンツとを表示する（図９のｃ１０参照）。
【００７８】
図１０は病院サーバ８から放送配信センタ装置２のお知らせ登録装置２３に緊急依頼のお知らせがその内容を示すテキスト情報（例えば、ある地域の住民に対してある血液型の献血を緊急にお願いする等の依頼）とともに登録された時に、病院サーバ８がコンテンツサーバ４に登録した緊急依頼の内容（献血の受付場所の情報等）を示す緊急依頼コンテンツを放送受信サーバ装置３が取得する場合の動作を示している。
【００７９】
放送配信センタ装置２は放送局１からの放送映像を放送受信サーバ装置３に配信し（図１０のｄ１，ｄ２参照）、放送受信サーバ装置３が放送映像をテレビ受像機４１に表示している時（図１０のｄ３参照）、病院サーバ８から緊急依頼のお知らせ及びそのテキスト情報が登録されると（図１０のｄ５参照）、上記の緊急依頼コンテンツが登録されたＵＲＬとそのコンテンツの表示領域を示す表示画面指示とをお知らせ通知及びテキスト情報とともに放送受信サーバ装置３に送る（図１０のｄ６参照）。
【００８０】
放送受信サーバ装置３は放送配信センタ装置２からのお知らせ通知を示す表示図形とそのテキスト情報とをテレビ受像機４１に表示している放送映像に重畳して表示する（図１０のｄ７参照）。視聴者がテレビ受像機４１の放送映像に重畳された表示図形及びテキスト情報を見てリモコン４２を操作すると（図１０のｄ８参照）、放送受信サーバ装置３はそのリモコン４２の操作に応答して、病院サーバ８がコンテンツサーバ４に登録した緊急依頼コンテンツを取得する（図１０のｄ４，ｄ９参照）。
【００８１】
放送受信サーバ装置３は放送配信センタ装置２からの表示画面指示に基いてテレビ受像機４１の表示領域を分割し、テレビ受像機４１の表示領域に放送映像とコンテンツサーバ４から取得した緊急依頼コンテンツとを表示する（図１０のｄ１０参照）。
【００８２】
このように、本実施例では、上述した表示図形に対応する信号に応答して表示するメッセージや画像、ＷＥＢ画像等にお知らせ通知の詳細情報を割り当てておけば、緊急報知メッセージ等の詳細な情報を放送映像が表示されているテレビ受像機４１の画面に同時に表示させることができる。
【００８３】
また、本実施例では、放送局１からの放送映像が表示されているテレビ受像機４１に、放送配信センタ装置２からのお知らせ通知があることを、文字や図形からなる表示図形を放送局１からの放送映像に重畳して表示し、その表示図形に気付いた視聴者がリモコン４２から表示図形に対応する信号が入力された時に、放送受信サーバ装置３がお知らせ通知に付加された表示画面指示に応じてテレビ受像機４１の画面の表示領域を分割し、その一つの領域に放送配信センタ装置２から送られてきたメッセージや画像、あるいはインタネット網１００を介して取得したＷＥＢ画像等を表示し、別の一つの領域に放送局からの映像を表示している。
【００８４】
これによって、本実施例では、映像や画像を送出している側からの要望に沿って表示画面指示を出すことで、テレビ受像機４１に、映像や画像を送出している側からの要望に沿って複数の映像や画像を同一画面上に表示することができる。
【産業上の利用可能性】
【００８５】
本発明は、上記の実施例でテレビ映像を送信する放送局１からの放送映像を表示中の動作について述べているが、映画、球場や劇場からの中継映像等の放送局１からの放送映像以外の映像を配信する場合にも適用可能である。また、本発明は、放送配信センタ装置２を放送局１とは独立に設けているが、放送局１内に設けた場合にも適用可能である。
【図面の簡単な説明】
【００８６】
【図１】本発明の実施の形態による情報表示システムの構成を示すブロック図である。
【図２】本発明の一実施例による放送配信センタ装置の構成を示すブロック図である。
【図３】本発明の一実施例による放送受信サーバ装置の構成を示すブロック図である。
【図４】（ａ）〜（ｇ）は図３のテレビ受像機４１の表示領域への表示例を示す図である。
【図５】図３のお知らせ処理部によるお知らせ処理の動作を示すフローチャートである。
【図６】図３のお知らせ処理部によるお知らせ処理の動作を示すフローチャートである。
【図７】本発明一実施例による情報表示システムの動作を示すシーケンスチャートである。
【図８】本発明一実施例による情報表示システムの動作を示すシーケンスチャートである。
【図９】本発明一実施例による情報表示システムの動作を示すシーケンスチャートである。
【図１０】本発明一実施例による情報表示システムの動作を示すシーケンスチャートである。
【符号の説明】
【００８７】
１  放送局
２  放送配信センタ装置
３  放送受信サーバ装置
４  コンテンツサーバ
５  メールサーバ
６  電話交換局
７  役所サーバ
８  病院サーバ
９  商店街サーバ
２１  ＴＶ放送送出機
２２  通信制御部
２３  お知らせ登録装置
２４  お知らせ出力装置
３１  ＴＶチューナ
３２  デコーダ
３３  画像合成器
３４  お知らせ受信機
３５  お知らせ処理部
３６  ＷＥＢ機能
３７  通信制御部
３８  送信処理部
３９  受信処理部
４０  外部信号入出力部
４１  テレビ受像機
４２  リモートコントローラ
１００  インタネット網
【図１】
2006340019.tif 000003
【図２】
2006340019.tif 000004
【図３】
2006340019.tif 000005
【図４】
2006340019.tif 000006
【図５】
2006340019.tif 000007
【図６】
2006340019.tif 000008
【図７】
2006340019.tif 000009
【図８】
2006340019.tif 000010
【図９】
2006340019.tif 000011
【図１０】
2006340019.tif 000012